(57)【要約】【課題】各セルが明確なパイロットの位置を取得することができ、システムによる各機能の実現が容易となる、ダウンリンク・パイロットの初期位置のマッピング方法及び装置を提供する。【解決手段】セルのシーケンス番号を取得するステップと、セルのシーケンス番号をｋにマッピングするステップと、一番目のアンテナにおけるダウンリンク・パイロットの初期位置をｋ個目のサブキャリアに設定するステップと、を含む。ダウンリンク・パイロットの初期位置のマッピング装置は、セルのシーケンス番号を取得する取得ブロックと、セルのシーケンス番号をｋにマッピングするマッピングブロックと、一番目のアンテナにおけるダウンリンク・パイロットの初期位置をｋ個目のサブキャリアに設定する設定ブロックと、を含む。【選択図】図３
2011512722.tif 000002
【特許請求の範囲】
【請求項１】
セルのシーケンス番号を取得するステップと、
前記セルのシーケンス番号をｋにマッピングするステップと、
一番目のアンテナにおけるダウンリンク・パイロットの初期位置をｋ個目のサブキャリアに設定するステップと、を含む
ことを特徴とするダウンリンク・パイロットの初期位置のマッピング方法。
【請求項２】
前記セルのシーケンス番号は、前記セルが属するセル組のシーケンス番号ＩＤ１を含み、前記セルのシーケンス番号のｋへのマッピングは、
ＩＤ１をｋにマッピングすることを含む
ことを特徴とする請求項１に記載のダウンリンク・パイロットの初期位置のマッピング方法。
【請求項３】
ＩＤ１＝｛０、１、・・・、１６６、１６７｝  として、ＩＤ１のｋへのマッピングは、
ｋ＝［ＩＤ１＋ｎ］ｍｏｄ６  
（ただし、ｎは、｛０、１、２、３、４、５｝から取る）
に従うことを特徴とする請求項２に記載のダウンリンク・パイロットの初期位置のマッピング方法。
【請求項４】
ＩＤ１＝｛０、１、・・・、１６６、１６７｝  とし、ＩＤ１のｋへのマッピングは、
ｋ＝［ｆｌｏｏｒ（ＩＤ１／２８）＋ｎ］ｍｏｄ６  
（ただし、ｎは｛０、１、２、３、４、５｝から取る）
に従うことを特徴とする請求項２に記載のダウンリンク・パイロットの初期位置のマッピング方法。
【請求項５】
前記セルのシーケンス番号は、前記セルが属するセル組のシーケンス番号ＩＤ１と、前記セル組における前記セルのシーケンス番号ＩＤ２とを含み、前記セルのシーケンス番号のｋへのマッピングは、
ＩＤ１とＩＤ２とをｋにマッピングすることを含む
ことを特徴とする請求項１に記載のダウンリンク・パイロットの初期位置のマッピング方法。
【請求項６】
ＩＤ１＝｛０、１、・・・、１６６、１６７｝  とし、ＩＤ２＝｛０、１、２｝  とし、ＩＤ１とＩＤ２とのｋへのマッピングは、
ｋ＝［ｆｌｏｏｒ（ＩＤ／１７）＋ｎ］ｍｏｄ６  
（ただし、ＩＤ＝ＩＤ１×３＋ＩＤ２  であり、ｎは｛０、１、２、３、４、５｝から取る）
に従うことを特徴とする請求項５に記載のダウンリンク・パイロットの初期位置のマッピング方法。
【請求項７】
ＩＤ１＝｛０、１、・・・、１６６、１６７｝  とし、ＩＤ２＝｛０、１、２｝  とし、ＩＤ１とＩＤ２とのｋへのマッピングは、
ｋ＝［［ＩＤ１］ｍｏｄ２＋ＩＤ２×２＋ｎ］ｍｏｄ６  
（ただし、ｎは｛０、１、２、３、４、５｝から取る）
に従うことを特徴とする請求項５に記載のダウンリンク・パイロットの初期位置のマッピング方法。
【請求項８】
ＩＤ１＝｛０、１、・・・、１６６、１６７｝  とし、ＩＤ２＝｛０、１、２｝  とし、ＩＤ１とＩＤ２とのｋへのマッピングは、
ｋ＝［ＩＤ＋ｎ］ｍｏｄ６  
（ただし、ＩＤ＝ＩＤ１×３＋ＩＤ２  であり、ｎは｛０、１、２、３、４、５｝から取る）
に従うことを特徴とする請求項５に記載のダウンリンク・パイロットの初期位置のマッピング方法。
【請求項９】
セルのシーケンス番号を取得する取得ブロックと、
前記セルのシーケンス番号をｋにマッピングするマッピングブロックと、
一番目のアンテナにおけるダウンリンク・パイロットの初期位置をｋ個目のサブキャリアに設定する設定ブロックと、を含む
ことを特徴とするダウンリンク・パイロットの初期位置のマッピング装置。
【請求項１０】
ＩＤ１＝｛０、１、・・・、１６６、１６７｝  とし、ＩＤ２＝｛０、１、２｝  とし、前記マッピングブロックは、次の何れか１つの式に従って、前記セルのシーケンス番号を前記ｋにマッピングする、
ｋ＝［ＩＤ１＋ｎ］ｍｏｄ６  、
ｋ＝［ｆｌｏｏｒ（ＩＤ１／２８）＋ｎ］ｍｏｄ６  、
ｋ＝［ｆｌｏｏｒ（ＩＤ／１７）＋ｎ］ｍｏｄ６  、
ｋ＝［［ＩＤ１］ｍｏｄ２＋ＩＤ２×２＋ｎ］ｍｏｄ６  、
ｋ＝［ＩＤ＋ｎ］ｍｏｄ６  
（ただし、ＩＤ＝ＩＤ１×３＋ＩＤ２  であり、ｎは｛０、１、２、３、４、５｝から取り、ＩＤ１は前記セルが属するセル組のシーケンス番号を示し、ＩＤ２は前記セル組における前記セルのシーケンス番号を示す）
ことを特徴とする請求項９に記載のダウンリンク・パイロットの初期位置のマッピング装置。
【発明の詳細な説明】
【技術分野】
【０００１】
本発明は、通信分野に関し、特に、ダウンリンク・パイロットの初期位置マッピング方法及び装置（ＭＡＰＰＩＮＧ  ＭＥＴＨＯＤ  ＡＮＤ  ＤＥＶＩＣＥ  ＦＯＲ  ＩＮＩＴＩＡＬ  ＬＯＣＡＴＩＯＮ  ＯＦ  ＤＯＷＮＬＩＮＫ  ＰＩＬＯＴ）に関する。
【背景技術】
【０００２】
図１は、長期的進化（Ｌｏｎｇ  Ｔｅｒｍ  Ｅｖｏｌｕｔｉｏｎ、以下ＬＴＥと略称する）システムにおけるフレーム構造を示す図である。ＬＴＥシステムにおいて、一つの１０ｍｓの無線フレームは、二つの半フレームに分けられ、各半フレームは、１０個の長さが０．５ｍｓであるタイム・スロットに分けられ、二つのタイム・スロットによって長さが１ｍｓであるサブフレームが構成され、一つの半フレームには五つのサブフレームが含まれる。
【０００３】
長さが５．２１ｕｓ及び４．６９ｕｓである通常のサイクリック・プレフィックスの場合、一つのタイム・スロットには、長さが６６．７ｕｓであるアップリンク／ダウンリンク符号が７個含まれ、その中の一番目のサイクリック・プレフィックス（Ｃｙｃｌｉｃ  Ｐｒｅｆｉｘ、ＣＰ）の長さは５．２１ｕｓであり、その他の６個の符号のＣＰ長さは４．６９ｕｓであり、長さが１６．６７ｕｓである拡張サイクリック・プレフィックスの場合、一つのタイム・スロットには６個のアップリンク／ダウンリンク符号が含まれる。
【０００４】
セルのＩＤは、ＩＤ１とＩＤ２とに分けられ、その中、ＩＤ１は、ＩＤ１＝｛０、１、・・・、１６６、１６７｝  であり、セル組のシーケンス番号を示し、ＩＤ２は、ＩＤ２＝｛０、１、２｝  であり、セル組におけるセルのシーケンス番号を示す。
【０００５】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）システムにおいて、資源はタイムと周波数との二次元で現れる。
【０００６】
図２は、サイクリック・プレフィックスが通常のサイクリック・プレフィックスである場合のダウンリンク・パイロットの位置を示す図である。同図において、１はＯＦＤＭ符号のシーケンス番号を、Ｔ１は一番目のアンテナにおけるパイロットを、Ｔ２は二番目のアンテナにおけるパイロットを、Ｔ３は三番目のアンテナにおけるパイロットを、Ｔ４は四番目のアンテナにおけるパイロットを示す。
【０００７】
ダウンリンク・パイロットの周波数ドメインの位置は以下の通りである：
一番目のアンテナにおけるパイロットの初期位置は、ｋ個目のサブキャリア（ｋ＝０、１、２、３、４、５）であり、隣り合うパイロット間の距離は６個のサブキャリアであり、システムの利用可能な最後のサブキャリアまで、順次配列される。
二番目のアンテナにおけるパイロットの初期位置と、一番目のアンテナにおけるパイロットの初期位置との間隔は３であり、即ち、二番目のアンテナにおけるパイロットの初期位置は、（ｋ＋３）個目のサブキャリアであり、隣り合うパイロット間の距離は６個のサブキャリアであり、システムの利用可能な最後のサブキャリアまで、順次配列される。
【０００８】
三番目のアンテナにおけるパイロットは、一番目のアンテナにおけるパイロットと周波数ドメインの位置が同一であって、四番目のアンテナにおけるパイロットは、二番目のアンテナにおけるパイロットと周波数ドメインの位置が同一である。
【０００９】
ダウンリンク・パイロットのタイムドメインの位置は以下の通りである：
図２に示すように、一番目のアンテナにおけるパイロットと二番目のアンテナにおけるパイロットは、ダウンリンク・サブフレームの各タイム・スロットにおける一番目のＯＦＤＭ符号と最後から三番目のＯＦＤＭ符号にて送信され、三番目のアンテナにおけるパイロットと四番目のアンテナにおけるパイロットは、ダウンリンク・サブフレームの各タイム・スロットにおける二番目のＯＦＤＭ符号にて送信される。
上記の一番目のアンテナにおけるパイロットの初期位置ｋは、セルのＩＤとは相関せず、両者はマッピング関係を持たないので、システムにより実現する場合、パイロットの位置を確定できず、システムは各機能を実現できない。
【発明の概要】
【発明が解決しようとする課題】
【００１０】
本発明は、既存技術におけるパイロットの位置を確定することができない問題を解決するためのダウンリンク・パイロットの初期位置のマッピング方法及び装置を提供することを目的とする。
【課題を解決するための手段】
【００１１】
本発明によると、セルのシーケンス番号を取得するステップと、セルのシーケンス番号をｋにマッピングするステップと、一番目のアンテナにおけるダウンリンク・パイロットの初期位置をｋ個目のサブキャリアに設定するステップとを含むダウンリンク・パイロットの初期位置のマッピング方法を提供する。
【００１２】
セルのシーケンス番号にはセルが属するセル組のシーケンス番号ＩＤ１が含まれ、セルのシーケンス番号の前記ｋへのマッピングは前記ＩＤ１をｋにマッピングすることを含むことが好ましい。
【００１３】
前記ＩＤ１＝｛０、１、・・・、１６６、１６７｝  として、前記ＩＤ１の前記ｋへのマッピングは、  ｋ＝［ＩＤ１＋ｎ］ｍｏｄ６  （ただし、ｎは、｛０、１、２、３、４、５｝から取る）  に従うことが好ましい。
【００１４】
前記ＩＤ１＝｛０、１、・・・、１６６、１６７｝  とし、前記ＩＤ１の前記ｋへのマッピングは、  ｋ＝［ｆｌｏｏｒ（ＩＤ１／２８）＋ｎ］ｍｏｄ６  （ただし、ｎは｛０、１、２、３、４、５｝から取る）に従うことが好ましい。
【００１５】
前記セルのシーケンス番号は、前記セルが属するセル組のシーケンス番号ＩＤ１と、前記セル組における前記セルのシーケンス番号ＩＤ２とを含み、前記セルのシーケンス番号の前記ｋへのマッピングは、前記ＩＤ１と前記ＩＤ２とを前記ｋにマッピングすることを含むことが好ましい。
【００１６】
前記ＩＤ１＝｛０、１、・・・、１６６、１６７｝  とし、前記ＩＤ２＝｛０、１、２｝  とし、前記ＩＤ１と前記ＩＤ２との前記ｋへのマッピングは、  ｋ＝［ｆｌｏｏｒ（ＩＤ／１７）＋ｎ］ｍｏｄ６  （ただし、ＩＤ＝ＩＤ１×３＋ＩＤ２  であり、ｎは｛０、１、２、３、４、５｝から取る）  に従うことが好ましい。
【００１７】
前記ＩＤ１＝｛０、１、・・・、１６６、１６７｝  とし、前記ＩＤ２＝｛０、１、２｝  とし、前記ＩＤ１と前記ＩＤ２との前記ｋへのマッピングは、  ｋ＝［［ＩＤ１］ｍｏｄ２＋ＩＤ２×２＋ｎ］ｍｏｄ６  （ただし、ｎは｛０、１、２、３、４、５｝から取る）  に従うことが好ましい。
【００１８】
前記ＩＤ１＝｛０、１、・・・、１６６、１６７｝  とし、前記ＩＤ２＝｛０、１、２｝  とし、前記ＩＤ１と前記ＩＤ２との前記ｋへのマッピングは、  ｋ＝［ＩＤ＋ｎ］ｍｏｄ６  （ただし、ＩＤ＝ＩＤ１×３＋ＩＤ２  であり、ｎは｛０、１、２、３、４、５｝から取る）  に従うことが好ましい。
【００１９】
本発明によると、セルのシーケンス番号を取得する取得ブロックと、セルのシーケンス番号をｋにマッピングするマッピングブロックと、一番目のアンテナにおけるダウンリンク・パイロットの初期位置を前記ｋ個目のサブキャリアに設定する設定ブロックと、を含むダウンリンク・パイロットの初期位置のマッピング装置を提供する。
【００２０】
ＩＤ１＝｛０、１、・・・、１６６、１６７｝、ＩＤ２＝｛０、１、２｝  とし、前記マッピングブロックは、次の何れか１つの式に従って、前記セルのシーケンス番号を前記ｋにマッピングする、    ｋ＝［ＩＤ１＋ｎ］ｍｏｄ６  、    ｋ＝［ｆｌｏｏｒ（ＩＤ１／２８）＋ｎ］ｍｏｄ６  、    ｋ＝［ｆｌｏｏｒ（ＩＤ／１７）＋ｎ］ｍｏｄ６  、    ｋ＝［［ＩＤ１］ｍｏｄ２＋ＩＤ２×２＋ｎ］ｍｏｄ６  、    ｋ＝［ＩＤ＋ｎ］ｍｏｄ６  （ただし、ＩＤ＝ＩＤ１×３＋ＩＤ２  であり、ｎは｛０、１、２、３、４、５｝から取り、ＩＤ１は前記セルが属するセル組のシーケンス番号を示し、ＩＤ２は前記セル組における前記セルのシーケンス番号を示す）ことが好ましい。
【発明の効果】
【００２１】
上記の実施例に係るダウンリンク・パイロットの初期位置のマッピング方法及び装置によると、セルのシーケンス番号を用いてダウンリンク・パイロットの初期位置をマッピングするため、既存技術におけるパイロットの位置が確定できない問題を解決し、更にセルは明確なパイロットの位置を取得することができ、システムによる各機能の実現にも有利となる。
【図面の簡単な説明】
【００２２】
図面は、本発明を更に理解するためのものであり、明細書の一部を構成する。また、本発明の実施例と共に本発明を解釈するものであり、本発明を限定するものではない。図面において、
【図１】は、ＬＴＥシステムのＴＤＤモードにおけるフレーム構造を示す図である。
【図２】は、サイクリック・プレフィックスが通常のサイクリック・プレフィックスである場合のダウンリンク・パイロットの位置の一例を示す図である。
【図３】は、本発明の実施形態に係るダウンリンク・パイロットの初期位置のマッピング方法を示すフローチャートである。
【図４】は、本発明の実施形態に係るダウンリンク・パイロットの初期位置のマッピング装置を示すブロック図である。
【発明を実施するための形態】
【００２３】
以下、図面を参考にし、本発明の実施形態、実施例に合わせ、本発明を詳しく説明する。
図３は、本発明の実施形態に係るダウンリンク・パイロットの初期位置のマッピング方法を示すフローチャートである。図に示すように、セルのシーケンス番号を取得するステップＳ１０と、セルのシーケンス番号をｋにマッピングするステップＳ２０と、一番目のアンテナにおけるダウンリンクの初期位置をｋ個目のサブキャリアに設定するステップＳ３０と、を含む。
【００２４】
上記のマッピング方法によると、セルのシーケンス番号を用い、ダウンリンク・パイロットの初期位置をマッピングするので、既存技術におけるパイロットの位置が確定できない問題を解決し、更に各セルが明確なパイロットの位置を取得することができ、システムによる各機能の実現にも有利となる。
【００２５】
セルのシーケンス番号にはそのセルが属するセル組のシーケンス番号ＩＤ１が含まれ、ステップＳ２０は、ＩＤ１をｋにマッピングする。
【００２６】
ＩＤ１＝｛０、１、・・・、１６６、１６７｝  とし、ＩＤ１のｋへのマッピングは、ｋ＝［ＩＤ１＋ｎ］ｍｏｄ６  （ｎは、｛０、１、２、３、４、５｝から取る）に従うを含むことが好ましい。その中、ｎ＝０である場合、ｋ＝［ＩＤ１＋ｎ］ｍｏｄ６  にｎというパラメータが設定されていないと理解できる。以下の式において、ｎ＝０である場合、すべて上記同様に理解できる。
【００２７】
ＩＤ１＝｛０、１、・・・、１６６、１６７｝  とし、ＩＤ１のｋへのマッピングは、ｋ＝［ｆｌｏｏｒ（ＩＤ１／２８）＋ｎ］ｍｏｄ６  （ｎは｛０、１、２、３、４、５｝から取る）を含むことが好ましい。
関数ｆｌｏｏｒ（  ）は、切り捨てて整数化する関数であり、
2011512722.tif 000003
と記載することもできる。
【００２８】
セルのシーケンス番号には、そのセルが属するセル組のシーケンス番号ＩＤ１とそのセル組におけるそのセルのシーケンス番号ＩＤ２とが含まれ、ステップＳ２０は、ＩＤ１とＩＤ２とをｋにマッピングすることを含むことが好ましい。
【００２９】
ＩＤ１＝｛０、１、・・・、１６６、１６７｝  とし、ＩＤ２＝｛０、１、２｝  とし、ＩＤ１とＩＤ２のｋへのマッピングは、ｋ＝［ｆｌｏｏｒ（ＩＤ／１７）＋ｎ］ｍｏｄ６  （ただし、ＩＤ＝ＩＤ１×３＋ＩＤ２  であり、ｎは｛０、１、２、３、４、５｝から取る）に従うことが好ましい。ここで、このＩＤをセルのシーケンス番号と見なすこともできる。
【００３０】
ＩＤ１＝｛０、１、・・・、１６６、１６７｝  とし、ＩＤ２＝｛０、１、２｝  とし、ＩＤ１とＩＤ２とからなるセルのシーケンス番号のｋへのマッピングは、ｋ＝［［ＩＤ１］ｍｏｄ２＋ＩＤ２×２＋ｎ］ｍｏｄ６  （ｎは｛０、１、２、３、４、５｝から取る）に従う。
【００３１】
第５の実施形態では、ＩＤ１＝｛０、１、・・・、１６６、１６７｝  とし、ＩＤ２＝｛０、１、２｝  とし、ＩＤ１とＩＤ２とからなるセルのシーケンス番号のｋへのマッピングはｋ＝［ＩＤ＋ｎ］ｍｏｄ６  （ただし、ＩＤ＝ＩＤ１×３＋ＩＤ２  であり、ｎは｛０、１、２、３、４、５｝から取る）に従うことが好ましい。
【００３２】
上記の好適な実施形態により、好適なマッピング関係式が提供され、セルのシーケンス番号をダウンリンク・パイロットの初期位置に合理的にマッピングすることができる。
【００３３】
図４は、本発明の実施形態に係るダウンリンク・パイロットの初期位置のマッピング装置を示すブロック図である。該ダウンリンク・パイロットの初期位置のマッピング装置は、セルのシーケンス番号を取得する取得ブロック１０と、セルのシーケンス番号をｋにマッピングするマッピングブロック２０と、一番目のアンテナにおけるダウンリンク・パイロットの初期位置をｋ個目のサブキャリアに設定する設定ブロック３０と、を含む。
【００３４】
上記のマッピング装置によると、セルのシーケンス番号を用い、ダウンリンク・パイロットの初期位置にマッピングするので、既存技術におけるパイロットの位置が確定できない問題を解決し、各セルが明確なパイロット位置を取得でき、システムにおける各機能の実現にも有利となる。
【００３５】
ＩＤ１＝｛０、１、・・・、１６６、１６７｝  とし、ＩＤ２＝｛０、１、２｝  とし、
マッピングブロック２０は、次の式、
ｋ＝［ＩＤ１＋ｎ］ｍｏｄ６  、
ｋ＝［ｆｌｏｏｒ（ＩＤ１／２８）＋ｎ］ｍｏｄ６  、
ｋ＝［ｆｌｏｏｒ（ＩＤ／１７）＋ｎ］ｍｏｄ６  、
ｋ＝［［ＩＤ１］ｍｏｄ２＋ＩＤ２×２＋ｎ］ｍｏｄ６  、
ｋ＝［ＩＤ＋ｎ］ｍｏｄ６  、
（ここで、ＩＤ＝ＩＤ１×３＋ＩＤ２  であり、ｎは｛０、１、２、３、４、５｝から取り、ＩＤ１はセルが属するセル組のシーケンス番号を示し、ＩＤ２はセル組におけるセルのシーケンス番号を示す。）
の何れか１つに従ってセルのシーケンス番号をｋにマッピングする。
【００３６】
上記の好適な実施例により、好適なマッピング関係式が提供され、セルのシーケンス番号をダウンリンク・パイロットの初期位置に合理的にマッピングできる。
【００３７】
本発明に対する理解を深めるために、以下、幾つかの具体的な実施例を提供する。
［実施例１］
セルのＩＤを｛０、１７、３４、５１、６８、８５、１０２、１１９、１３６、１５３、１７０、１８７｝とし、  ｋ＝［ｆｌｏｏｒ（ＩＤ／１７）＋ｎ］ｍｏｄ６  の方法を用いると仮定すると、各セルの一番目のアンテナにおけるパイロットの初期位置は｛０、１、２、３、４、５、０、１、２、３、４、５｝となる。
【００３８】
［実施例２］
セルのＩＤを｛０、１、２、３、４、５、６、７、８、９、１０、１１｝とし、それに係るセル組のＩＤ１を｛０、０、０、１、１、１、２、２、２、３、３、３｝とし、セル組におけるセルのＩＤ２を｛０、１、２、０、１、２、０、１、２、０、１、２｝とし、  ｋ＝［［ＩＤ１］ｍｏｄ２＋ＩＤ２×２＋ｎ］ｍｏｄ６  の方法を用いると仮定すると、各セルの一番目のアンテナにおけるパイロットの初期位置は｛０、２、４、１、３、５、０、２、４、１、３、５｝となる。
【００３９】
［実施例３］
セルのＩＤを｛０、１、２、３、４、５、６、７、８、９、１０、１１｝とし、  ｋ＝［ＩＤ＋ｎ］ｍｏｄ６  の方法を用いると仮定すると、各セルの一番目のアンテナにおけるパイロットの初期位置は｛０、１、２、３、４、５、０、１、２、３、４、５｝となる。
【００４０】
［実施例４］
セルのＩＤを｛  ０、１、２、３、４、５、６、７、８、９、１０、１１｝とし、それに係るセル組のＩＤ１を｛  ０、０、０、１、１、１、２、２、２、３、３、３｝とし、セル組におけるセルのＩＤ２を｛０、１、２、０、１、２、０、１、２、０、１、２｝とし、  ｋ＝［ＩＤ１＋ｎ］ｍｏｄ６  の方法を用いると仮定すると、各セルの一番目のアンテナにおけるパイロットの初期位置は｛０、０、０、１、１、１、２、２、２、３、３、３｝となる。
【００４１】
［実施例５］
セルのＩＤを｛０、４３、８６、１２６、１６９、２１２、２５２、２９５、３３８、３７８、４２１、４６４｝とし、それに係るセル組のＩＤ１を｛０、１４、２８、４２、５６、７０、８４、９８、１１２、１２６、１４０、１５４｝とし、セル組におけるセルのＩＤ２を｛０、１、２、０、１、２、０、１、２、０、１、２｝とし、  ｋ＝［ｆｌｏｏｒ（ＩＤ１／２８）＋ｎ］ｍｏｄ６  の方法を用いると仮定すると、各セルの一番目のアンテナにおけるパイロットの初期位置は｛０、１、２、３、４、５、０、１、２、３、４、５｝となる。
【００４２】
上記の内容から、本発明の上記実施例によるダウンリンク・パイロットの初期位置のマッピング方法及び装置によると、セルのシーケンス番号を用い、ダウンリンク・パイロットの初期位置をマッピングするため、既存技術におけるパイロットの位置が確定できない問題を解決し、各セルが明確なパイロット位置を取得することができ、システムによる各機能の実現にも有利となることが分かる。
【００４３】
明らかに、当業者なら、上述した本発明の各ブロック又は各ステップをゼネラルコンピューターにより実現でき、これらを個別のコンピューター上に集中する、又は、複数台のコンピューターからなるネットワーク上に分散してもよく、或いは、これらをコンピューターが運行可能なプログラムコードにより実現してもよいことが自明であろう。よって、これらをメモリーに保存し、コンピューターを用いて運行し、或いはこれらをそれぞれ各集積回路のモジュールとして製作し、或いはこれらの中の複数のブロック又はステップから個別の集積回路のモジュールを製作することでも実現できる。よって、本発明は特定のハードウエアとソフトウエアの結合に限定されるものではない。
【００４４】
以上は、本発明の好適な実施例であり、本発明を限定するものではない。本発明は、様々な変更や変形が可能であることは当業者には容易に理解できるであろう。本発明の精神や原則を逸脱しないあらゆる修正、同等置換、改良などはすべて本発明の保護範囲内に含まれるものとする。
【図１】
2011512722.tif 000004
【図２】
2011512722.tif 000005
【図３】
2011512722.tif 000006
【図４】
2011512722.tif 000007
【国際調査報告】
2011512722.tif 000008
2011512722.tif 000009
2011512722.tif 000010
2011512722.tif 000011